(57)【要約】【課題】充填物が粉粒体であっても、粉粒体の噛み込みによる不具合を被ることがなく、角底袋の製造を可能とした角底袋用縦形製袋充填包装機を提供する。【解決手段】角底袋用縦形製袋充填包装機は、製袋チューブ２の下端から延び、筒状包材ＷＣを角筒状包材ＷＢに成形する角筒成形ガイド筒１８と、この角筒成形ガイド筒１８の下方に設けられ、角筒状包材ＷＢに横シールを形成する横シーラ２４と、横シールの形成時、横シーラ２４の上側で角筒成形ガイド筒１８の両側にそれぞれ形成される傾斜フラップＥＦを三角フラップと、角筒状包材ＷＢの側面に連なる平坦面ＦＳとに変形させる一対の三角フラップ形成部材３４と、横シールの形成に先立ち、角筒状包材ＷＢの１次繰出しを実施する包材フィーダ１２とを備え、傾斜フラップＥＦの変形を可能とすべく、包材フィーダ１２は角筒状包材ＷＢの２次繰出しを実施し、一方、角筒成形ガイド筒１８と横シーラ２４との間には所定の間隔が確保されている。【選択図】図５
2010006412.tif 000002
【特許請求の範囲】
【請求項１】
製袋チューブの回りに包材を筒状に成形し、この筒状包材を前記製袋チューブの長手方向に繰出しながら、前記製袋チューブの下方にて、前記筒状包材にその長手方向に所定の間隔を存して横シールを形成する一方、この横シールの形成と前記筒状包材内への充填物の充填を交互に行い、その内部に前記充填物が充填された袋を製造する縦形製袋充填包装機において、
前記袋に角底を成形するために前記製袋チューブの下端に設けられ、前記筒状包材の内面を案内して前記筒状包材を角筒状包材に成形する角筒成形ガイド筒と、
前記角筒成形ガイド筒の下方に開閉作動可能に配置され、閉作動時に前記角筒成形ガイド筒の下方に位置した前記角筒状包材を挟み付けて扁平な筒状部位とすることで、この扁平な筒状部位の下端に前記横シールを形成し、この際、前記扁平な筒状部位の両側縁を前記角筒成形ガイド筒から前記横シールに向けて外側に拡開した傾斜フラップにそれぞれ形成する、横シーラと、
前記角筒成形ガイド筒と前記横シーラとの間にて前記角筒成形ガイド筒の両側にそれぞれ設けられ、前記横シールの形成時、前記扁平な筒状部位の前記両傾斜フラップを前記横シーラと協働して押し潰し、前記横シーラ上の三角フラップと、前記角筒状包材の側面に連なる平坦面とに変形させる一対の三角フラップ形成部材と、
前記横シールの形成に先立つ前記角筒状包材の１次繰出しと、前記三角フラップ形成時の前記角筒状包材の２次繰出しとを実施する包材繰出し装置と
を備え、
前記角筒形成ガイド筒と前記横シーラとの間に、前記傾斜フラップから前記三角フラップ及び前記平坦面への変形を許容する間隔を確保したことを特徴とする三角フラップ付き角底袋用縦形製袋充填包装機。
【請求項２】
前記間隔がＬ、前記角筒成形ガイド筒から横シールに延びる前記傾斜フラップの斜辺の長さがＹ、前記三角フラップの斜辺の長さがＺで表されるとき、
前記包材繰出し装置は前記２次繰出し時、Ｌ−（Ｙ−Ｚ）だけ前記角筒状包材を繰り出すこと特徴とする請求項１に記載の三角フラップ付き角底袋用縦形製袋充填包装機。
【請求項３】
前記一対の三角フラップ形成部材は、前記横シーラとの間にて前記傾斜フラップを挟み付ける作動位置と、前記横シールの形成時、傾斜フラップの上面に当接し、この当接位置にて前記傾斜フラップの上面を押さえ込む待機位置とを有する請求項１又は２に記載の三角フラップ付き角底袋用縦形製袋充填包装機。
【発明の詳細な説明】
【技術分野】
【０００１】
本発明は、上端部が扁平で且つ底を角底とした袋を製造する角底袋用縦形製袋充填包装機、より詳しくは、角底を形成する三角フラップが未だ折込み前の状態にある袋を製造する三角フラップ付き角底袋用縦形製袋充填包装機に関する。
【背景技術】
【０００２】
この種の包装機には、製袋チューブの回りにて円筒状をなす筒状包材を製袋チューブの下方にて複数の板ばねによって角筒状包材に成形し、この後、角筒状包材に対する横シールを経て袋の底を角底に成形するようにした角底袋用縦形製袋充填包装機が知られている（例えば、特許文献１）。
このような特許文献１の包装機では、横シールをなす横シーラの閉作動時、板ばねが弾性変形することから、横シーラの閉作動を阻害することなく、横シーラによる角筒状包材への横シールの形成が可能となり、一方、横シールの形成後には板ばねがその復元力により元の位置に戻ることで、角筒状包材に矩形底を形成できる。
【０００３】
なお、この際、矩形底はその両側から突出する折込み前の三角フラップを有しているが、この後、これら三角フラップは横シーラの下方位置にて矩形底に折り込まれることで、矩形底と重ね合わされ、この矩形底とともに角底を形成する。
【特許文献１】特開2008-87776号公報
【発明の開示】
【発明が解決しようとする課題】
【０００４】
特許文献１の包装機の場合、横シールの形成後角筒状包材内に充填される充填物が粉粒体であると、粉粒体が角筒状包材の内面と板ばねとの間に回り込み、これらの間に滞留することがある。
このようにして滞留する粉粒体は、板ばねの形状に従い角筒状包材の内面に筋状に付着するので、次回の横シール時、横シールへの粉粒体の噛み込みを招いたり、製造した袋の内面に粉粒体が筋状に張り付いたりする。また、角筒状包材の内面にジッパが仮付けされているような場合には、粉粒体がジッパのシール用フランジにも付着し、このジッパの本付けシール時、ここでのシールにも粉粒体が噛み込むことなり、製造した袋が不良品となってしまう。
【０００５】
本発明は上述の事情に基づいてなされたもので、その目的とするところは、充填物が粉粒体であっても、その噛み込みによる不具合を引き起こすことなく、三角フラップ付きの矩形底の形成を可能とした三角フラップ付き角底袋用縦形製袋充填包装機を提供することにある。
【課題を解決するための手段】
【０００６】
上記の目的を達成するため、本発明は、製袋チューブの回りに包材を筒状に成形し、この筒状包材を製袋チューブの長手方向に繰出しながら、製袋チューブの下方にて、筒状包材にその長手方向に所定の間隔を存して横シールを形成する一方、この横シールの形成と筒状包材内への充填物の充填を交互に行い、その内部に充填物が充填された袋を製造する縦形製袋充填包装機において、本発明の三角フラップ付き角底袋用縦形製袋充填包装機は、その袋に角底を成形するために製袋チューブの下端に設けられ、筒状包材の内面を案内して筒状包材を角筒状包材に成形する角筒成形ガイド筒と、この角筒成形ガイド筒の下方に開閉作動可能に配置され、閉作動時に角筒成形ガイド筒の下方に位置した角筒状包材を挟み付けて扁平な筒状部位とすることで、この扁平な筒状部位の下端に横シールを形成し、この際、扁平な筒状部位の両側縁を角筒成形ガイド筒から横シールに向けて外側に拡開した傾斜フラップにそれぞれ形成する、横シーラと、角筒成形ガイド筒と横シーラとの間にて角筒成形ガイド筒の両側にそれぞれ設けられ、横シールの形成時、扁平な筒状部位の両傾斜フラップを横シーラと協働して押し潰し、横シーラ上の三角フラップと、角筒状包材の側面に連なる平坦面とに変形させる一対の三角フラップ形成部材と、横シールの形成に先立つ角筒状包材の１次繰出しと、三角フラップ形成時の角筒状包材の２次繰出しとを実施する包材繰出し装置とを備え、角筒形成ガイド筒と横シーラとの間に傾斜フラップから前記三角フラップ及び平坦面への変形を許容する間隔を確保したことに特徴付けられる（請求項１）。
【０００７】
上述の三角フラップ付き角底袋用縦形製袋充填包装機によれば、角筒成形ガイド筒と横シーラとの間に前記間隔を確保する一方、角筒状包材の２次繰出しを実施するようにしたので、横シールの形成後、三角フラップ形成部材のみで、扁平な筒状部位の傾斜フラップを前述の三角フラップ及び平坦面とに変形させることができ、ここでの変形のために、板ばねの使用は不要である。
【０００８】
それ故、角筒成形ガイド筒はその上端から下端に至るまでほぼ閉じた横断面形状を有することができることから、充填物としての粉粒体の充填中、粉粒体が角筒成形ガイド筒と角筒状包材の内面間に回り込むことはなく、これらの間に粉粒体が滞留することはない。
具体的には、間隔がＬ、角筒成形ガイド筒から横シールに延びる傾斜フラップの斜辺の長さがＹ、三角フラップの斜辺の長さがＺで表されるとき、包材繰出し装置は２次繰出し時、Ｌ−（Ｙ−Ｚ）だけ角筒状包材を繰り出す（請求項２）。この場合、三角フラップ形成部材による傾斜フラップの変形時、角筒状包材の２次繰出しが実施されることで、傾斜フラップから前述した三角フラップ及び平坦面への変形が角筒状包材の過不足なく行え、これら三角フラップ及び平坦面の円滑な形成が可能となる。
【０００９】
更に、一対の三角フラップ形成部材は、横シーラとの間にて傾斜フラップを挟み付ける作動位置と、横シールの形成時、傾斜フラップの上面に当接し、この当接位置にて傾斜フラップの上面を押さえ込む待機位置とを有する（請求項３）。
この場合、角筒状包材の内面にジッパやバルブ等が張り付けられ、角筒状包材の内周長と角筒形成部材の外周長との間の差が大きい状況にあっても、その待機位置にて、横シールの形成時、三角フラップ形成部材が当接位置にて傾斜フラップの上面を押さえ込み、傾斜フラップの予期しない形状を規制し、この後、三角フラップ形成部材は傾斜フラップへの三角フラップ及び平坦面への変形を安定して実施可能となる。
【発明の効果】
【００１０】
請求項１の角底袋用縦形製袋充填包装機は、角筒状包材の成形に板ばねではなく角筒成形ガイド筒を使用しているので、角筒成形ガイド筒と角筒状包材の内面との間に充填物、即ち、粉粒体の回り込みがなく、この粉粒体の回り込みに起因した不具合は確実に解消される。
請求項２の包装機は、角筒状包材の２次繰出しにより、傾斜フラップの変形から三角フラップ及び平坦面への変形を安定して行え、角筒状包材の外面に折れ曲がりや二重折込みを生じさせることなく、角底袋を綺麗に製造でき、その生産効率を向上させることができる。
【００１１】
請求項３の包装機、ジッパやバルブを備えた角底袋であっても、その角底を綺麗に形成でき、汎用性に優れたものとなる。
【発明を実施するための最良の形態】
【００１２】
図１（ａ）は、本発明の三角フラップ付き角底袋用縦形製袋充填包装機にて製造される角底袋Ｐを示し、図１（ｂ）は角底袋Ｐを更に成形して得られる角底袋Ｑを示す。
角底袋Ｐはその底が矩形をなし、そして、その上部は扁平となっている。より詳しくは、角底袋Ｐの外面は一対の三角フラップＴＦ付きの矩形底Ｂ０、前面Ｆ、背面Ｈ及び左右の側面Ｓから形成され、矩形底Ｂ０はボトムシールフラップＢＦを更に有する。更に、角底袋Ｐの上端はトップシールＴＳにより閉じられ、本実施例の場合、角底袋Ｐの上端部にはトップシールＴＳの下側に開閉可能なジッパＪを有する。
【００１３】
角底袋Ｑは、角底袋Ｐの三角フラップＴＦがボトムシールフラップＢＦとともに矩形底Ｂ０に折込まれ、これらフラップが矩形底Ｂ０に重ね合わされた角底Ｂを有する。なお、図１中、参照符号ＬＦは縦シールフラップを示し、この縦シールフラップＬＦは角底袋Ｐの上端から角底Ｂに亘って延びている。
図２は、上述した三角フラップ付き角底袋用縦形製袋充填包装機を概略的に示す。
【００１４】
この包装機は製袋チューブ２を備え、この製袋チューブ２は上下方向に延びている。製袋チューブ２内には充填チューブ４が配置され、この充填チューブ４は製袋チューブ２から上方に向けて突出する。この充填チューブ４はその上端にホッパ６を有し、このホッパ６を通じて充填物としての粉粒体の供給を受けることができる。
具体的には、包装機は充填供給装置を備え、この充填供給装置は充填チューブ４内に配置されたオーガ（図示しない）を有し、このオーガを回転させることで、充填チューブ４から製袋チューブ２内に所定量の粉粒体を供給することができる。
【００１５】
一方、製袋チューブ２の上方で且つホッパ６の下側にはフォーマ８が取り付けられ、このフォーマ８から包材ロールＲまで包材繰出し経路１０が延びている。包材ロールＲはヒートシール可能なフィルム等の包材Ｗを繰出し、繰出された包材Ｗは包材繰出し経路１０に沿って案内され、そして、フォーマ８を経て製袋チューブ２の外周に導かれている。
包材繰出し経路１０にはジッパ供給装置（図示しない）が設けられており、このジッパ供給装置は包材Ｗの内面に前述したジッパＪを仮付けする。なお、ジッパＪは包材Ｗの長手方向、つまり、その繰出し方向に所定の間隔を存して仮付けされる。
【００１６】
包材Ｗがフォーマ８を通過する際、包材Ｗはフォーマ８により製袋チューブ２を囲む筒状に形成され、この筒状包材ＷＣは製袋チューブ２に沿い下方に導かれている。また、フォーマ８を通過する際、筒状包材ＷＣの両側縁は所定の形態にて互いに重ね合わされたラップ部を形成する。
製袋チューブ２の近傍には包材繰出し装置として一対の包材フィーダ１２（図１には一方のみ図示）が設けられている。これら包材フィーダ１２はフォーマ８の下方にて、製袋チューブ２の両側にそれぞれ配置されている。各包材フィーダ１２は無端状のサクションベルト１４を有し、このサクションベルト１４に筒状包材ＷＣを吸着させることができる。この吸着状態にて、包材フィーダ１２のサクションベルト１４が一方向に走行すると、筒状包材ＷＣは製袋チューブ２に沿い、その下方に向けて更に繰出される。
【００１７】
更に、製袋チューブ２の近傍には開閉可能な縦シーラ１６が設けられており、この縦シーラ１６は製袋チューブ２の周方向でみて一対の包材フィーダ１２間に配置されている。縦シーラ１６は筒状包材ＷＣのラップ部をヒートシールし、その両側縁を互いに接着させた前述の縦シールフラップＬＦを形成する。それ故、縦シーラ１６を通過した後、筒状包材ＷＣは完全に閉じた状態となる。なお、本実施例の場合、縦シールフラップＬＦは所謂、合掌貼りの形態となっている。
【００１８】
製袋チューブ２の下端には角筒成形ガイド筒１８が設けられている。この角筒成形ガイド筒１８は、製袋チューブ２の下端から下方に向けて延び、筒状包材ＷＣが通過する際、その内面を案内し、筒状包材ＷＣを角筒状包材ＷＢに成形する。
具体的には、図３を参照すればより明らかなように、角筒成形ガイド筒１８はその上端では製袋チューブ２と同様に円形の横断面形状を有するが（図３（ａ））、その外周面の中間部は周方向に交互に並ぶ円弧面１８ａ及び平坦面１８ｂにより形成されており（図３（ｂ），（ｃ））、そして、円弧面１８ａの周方向幅は角筒成形ガイド筒１８の上端から下端に向けて徐々に減少するのに対し、平坦面１８ｂの周方向幅は角筒成形ガイド筒１８の下端から上端に向けて徐々増加する。それ故、図４から明らかなように、角筒成形ガイド筒１８は、上端での円形状から下端での略矩形に向けて徐々に変化する横断面形状を有する。
【００１９】
図５及び図６から明らかなように、前述した縦シーラ１６の下端にはステー２０を介して折込み部材２２が取り付けられており、この折込み部材２２は前述した縦シールフラップＬＦが通過する際、縦シールフラップＬＦを筒状包材ＷＣの外面に向けて折込み、筒状包材ＷＣと重ね合わせる。
なお、本実施例の場合、上述の角筒成形ガイド筒１８はその上端から下端に至るまで閉じた横断面形状を有するが、その下端縁の一部に切欠を有するようなほぼ閉じた横断面形状であってもよく、この場合の許容される切欠の大きさ等は、粉粒体の回り込み易さ（その流動性）、角筒成形ガイド筒１８に対する角筒状包材ＷＢの緊張具合、また、後述する粉粒体の充填の際、その充填の仕方等により決定される。
【００２０】
更に、上述した角筒成形ガイド筒１８の下方には所定の間隔を存して、開閉可能な横シーラ２４が配置されており、この横シーラ２４は一対のヒータブロック２６ｆ，２６ｒを有する。これらヒータブロック２６は角筒状包材ＷＢを横断する水平方向に延び、水平面内にて製袋チューブ２の直径方向に互いに接離し、これにより、横シーラ２４の開閉がなされる。横シーラ２４が閉作動したとき、一対のヒータブロック２６ｆ，２６ｒは角筒状包材ＷＢをその前後から挟み付けることで、角筒状包材ＷＢに横シールを形成する。
【００２１】
また、ヒータブロック２６ｆ，２６ｒの一方にはヒータ及び突没可能な切断刃が内蔵され、そして、他方にはヒータが内蔵されているとともに、一方のヒータブロック２６から突出した切断刃を受け入れる溝が形成されている。このような切断刃は横シールの形成後に突出し、この横シールをその上側部分からなる前述のボトムシールフラップＢＦと、その下側部分からなるトップシールＴＳとに分離する。なお、図５及び図６中、ヒータ及び切断刃は明確に示されていない。
【００２２】
更に、前述した横シーラ２４の下方には所定の間隔を存して開閉可能なジッパシーラ２８が更に配置され、このジッパシーラ２８は横シーラ２４と同様に一対のヒータブロック３０ｆ，３０ｒを有する。ジッパシーラ２８の開閉は横シーラ２４の開閉と連動してなされ、角筒状包材ＷＢの内面にジッパＪの本付けをなす。
更にまた、横シーラ２４とジッパシーラ２８との間には一対のエアノズル３２が配置されている。これらエアノズル３２は圧縮空気源（図示しない）に接続され、横シーラ２４の開閉方向に圧縮空気を噴出可能である。従って、前述したボトムシールフラップＢＦが横シーラ２４とジッパシーラ２８との間を通過する際、ボトムシールフラップＢＦは一対のエアノズル３２から噴出された圧縮空気を受け、一方向に倒される。なお、一対のエアノズル３２は横シーラ２４のヒータブロック２６ｆに取り付けられ、このヒータブロック２６ｆとともに横シーラ２４の開閉方向に移動する。
【００２３】
一方、図５に示されるように、横シーラ２４の上方には一対の三角フラップ形成部材３４が設けられ、これら三角フラップ形成部材３４は角筒成形ガイド筒１８の両側にそれぞれ配置されている。一対の三角フラップ形成部材３４は横シーラ２４に向けられた下端を有し、この下端はロッドにより形成されている。このロッドは円形断面を有し、横シーラ２４の開閉方向に水平に延びている。具体的には、ロッドは耐熱性を有した硬質の弾性材料から形成されている。
【００２４】
一対の三角フラップ形成部材３４はエアシリンダ３６にそれぞれ取り付けられており、これらエアシリンダ３６は包装機のフレーム３８に支持機構４０を介して支持されている。この支持機構４０は横シーラ２４に対するエアシリンダ３６の高さ位置、そして、角筒成形ガイド筒１８に対するエアシリンダ３６の離間位置をそれぞれ調整可能である。
図５から明らかなように、エアシリンダ３６は鉛直ではなく傾斜して配置され、これより、その伸縮により、対応する三角フラップ形成部材３４を横シーラ２４に対し斜め方向に接離させることができる。
【００２５】
次に、図７を参照しながら包装機の作動を説明する。
図７（ａ）は、前述の一対の包材フィーダ１２による筒状包材ＷＣ、即ち、角筒状包材ＷＢの１次繰出しが完了した直後の状態を示し、このとき、角筒状包材ＷＢは角筒成形ガイド筒１８の下方に角底袋Ｐの長さに対応した長さだけ繰出されている。
ここで、角筒状包材ＷＢの下端は前回の製造プロセスにて、一対の三角フラップＴＦ等を備えた矩形底Ｂ０に既に形成され、この矩形底Ｂ０により閉塞された状態にある。また、角筒状包材ＷＢの１次繰出しの開始と同時又はその前後から、充填供給装置は充填チューブ４、製袋チューブ２及び角筒成形ガイド筒１８内を通じて角筒状包材ＷＢ内に所定量の粉粒体を充填し、充填された粉粒体は矩形底Ｂ０上に堆積されている。このような粉粒体の充填中、粉粒体の舞い上がりが生じても、角筒成形ガイド筒１８と角筒状包材ＷＢの内面との間に隙間が生じることはなく、この結果、これら角筒成形ガイド筒１８と角筒状包材ＷＢとの間に粉粒体が滞留することはなく、このような粉粒体の滞留に起因した前述の不具合を確実に解消可能となる。
【００２６】
粉粒体の充填が完了した後、図７（ｂ）から明らかなように横シーラ２４及びジッパシーラ２８は共に開位置から閉作動を開始し、そして、図７（ｃ）に示す横シーラ２４及びジッパシーラ２８の閉位置にて、これら横シーラ２４及びジッパシーラ２８はそれらのヒータブロック間にて角筒状包材ＷＢをそれぞれ挟み込む。
ここでの挟み込みにて、角筒状包材ＷＢには横シールが形成されると同時に、その内面にジッパＪが本付けされる。また、横シーラ２４はその切断刃により、横シールをボトムシールフラップＢＦとトップシールＴＳとに分離するが、しかしながら、この時点では、横シーラ２４及びジッパシーラ２８は閉位置に維持されているので、これらシーラ２４，２８は製造された角底袋Ｐを保持した状態にある。
【００２７】
一方、上述した横シールの形成は、角筒状包材ＷＢを押し潰すことによってもたらされることから、図５を参照すれば明らかなように横シーラ２４が閉位置にあるとき、角筒状包材ＷＢにおける横シーラ２４の上側部位は扁平な筒状部位に形成され、この扁平な筒状部位の幅は角筒成形ガイド筒１８の幅よりも横シーラ２４の上下にて拡張される。それ故、この扁平な筒状部位の両側部位は角筒成形ガイド筒１８から側方に張り出した傾斜フラップＥＦとしてそれぞれ形成される。これら傾斜フラップＥＦの一方を図８（ａ）に拡大して示す。
【００２８】
図８（ａ）から明らかなように傾斜フラップＥＦは、角筒成形ガイド筒１８により形成された角筒状包材ＷＢの側面に連なり且つ下向きに傾斜した三角形状の上面Ｕと、この上面Ｕと横シーラ２４（ボトムシールフラップＢＦ）とを繋ぐ三角形状の前後の面とから形成される。
ここで、図５から明らかなように、各傾斜フラップＥＦの上面Ｕはその三角フラップ形成部材３４、即ち、待機位置にある三角フラップ形成部材３４の下端（ロッド）と当接し、この三角フラップ形成部材３４により上方から押さえ込まれた状態にある。
【００２９】
そして、横シーラ２４が未だ閉位置に保持されている状態にて、一対の三角フラップ形成部材３４はそのエアシリンダ３６の伸長動作を受け、その下端が閉位置にある横シーラ２４上の作動位置に達するまで斜めに下降し、この際、その下端にて傾斜フラップＥＦの上面Ｕを横シーラ２４に向けて下方に押込む。
一方、三角フラップ形成部材３４による押込みと同時に、角筒状包材ＷＢは一対の包材フィーダ１２により２次繰出しを受け、所定の長さだけ更に繰出される。それ故、三角フラップ形成部材３４は横シーラ２４の上面と協働し、図８（ａ）の傾斜フラップＥＦを図８（ｂ）に示す如く変形させ、これにより、傾斜フラップＥＦから横シーラ２４上に位置した三角フラップＴＦと、この三角フラップＴＦと角筒状包材ＷＢの側面との間を繋ぎ、この側面に連なる平坦面ＦＳとが形成される。この結果、横シーラ２４の上面にて、一対の三角フラップＴＦを側方に突出させた状態の矩形底Ｂ０が形成される。
【００３０】
ここで、平坦面ＦＳの上下方向の長さＬは角筒成形ガイド筒１８と閉位置にある横シーラ２４との間に確保された前記間隔に等しいので、２次繰出しにおける角筒状包材ＷＢの繰出し量（長さ）Ｘは、図８中、傾斜フラップＥＦにおける上面Ｕの斜辺の長さをＹ、三角フラップＴＦの斜辺の長さをＺとすれば、次式から算出することができる。
Ｘ＝Ｌ−（Ｙ−Ｚ）
上述した角筒状包材ＷＢの２次繰出しは、傾斜フラップＥＦを変形させる際、ここでの変形に必要な扁平な筒状部位の長さを過不足なく提供し、これにより、角筒状包材ＷＢの側面や三角フラップＴＦに折れ曲がりや二重折り等を生じさせることなく、綺麗な三角フラップＴＦ及び平坦面ＦＳの形成が可能となる。
【００３１】
また、平坦面ＦＳの長さＬ、即ち、角筒成形ガイド筒１８と横シーラ２４との間の間隔は、形成すべき三角フラップＴＦのサイズを考慮し、傾斜フラップＥＦの前述の変形が許容される程度に確保されていればよい。
更に、三角フラップ形成部材３４が待機位置にあるとき、三角フラップ形成部材３４は前述したように傾斜フラップＥＦの上面Ｕを押さえ込んでいる。それ故、本実施例のように角筒状包材ＷＢの内面にジッパＪが仮止めされていることで、角筒状包材ＷＢの周長と角筒成形ガイド筒１８の周長との間の差が比較的大きくなっている場合でも、三角フラップ形成部材３４が傾斜フラップＥＦの上面Ｕを押さえ込むことで、図９（ａ）に示されるように傾斜フラップＥＦの上面Ｕと三角フラップ形成部材３４との接触位置と横シール２４との間の距離、即ち、接触高さ位置を左右の傾斜フラップＥＦにて同一にすることができる。このことは、横シール時、傾斜フラップＥＦにおける上面Ｕの位置を正確に位置決めでき、また、上面Ｕの平坦性を担保できることを意味する。それ故、この後、三角フラップ形成部材３４による傾斜フラップＥＦが三角フラップＴＦ及び平坦面ＦＳに変形される際には、ジッパＪの存在に拘わらず、三角フラップＴＦ及び平坦面ＦＳを綺麗に形成することができる。
【００３２】
この点、三角フラップ形成部材３４による傾斜フラップＥＦの押さえ込みが無く、その上面Ｕが何等規制されない場合、ジッパＪの存在により上述の周長差が大きいと、図９（ｂ）に示されるように、その周長差の分だけ、傾斜フラップＥＦの上面Ｕはその上端が図９（ａ）の場合に比べて上方に位置付けられ、角筒成型ガイド筒１８から大きく離れた状態になり、また、左右の傾斜フラップＥＦ間にて、上面Ｕの形成位置にばらつきが生じる。しかも、この場合、傾斜フラップＥＦの上面Ｕは緊張状態にないので、たとえ２次繰出しが実施されても、三角フラップ形成部材３４は傾斜フラップＥＦから三角フラップＴＦ及び平坦面ＦＳへの変形を確実且つ綺麗に行えない虞がある。
【００３３】
この後、横シーラ２４及びジッパシーラ２８が共に開作動することで、これらシーラ２４，２８は、その上部にトップシールＴＳ及びジッパＪを有する角底袋Ｐを解放する。この際、解放された角底袋Ｐの矩形底Ｂ０からは未だ、一対の三角フラップＴＦが側方に突出した状態にある。
また、次の角筒状包材ＷＢの１次繰出しが繰り返され、一対の三角フラップＴＦを備えた角筒状包材ＷＢの矩形底Ｂ０が下降する際、矩形底Ｂ０の下面から突出した状態にあるボトムシールフラップＢＦは前述したエアノズル３２からの圧縮空気の噴出を受けることで、矩形底Ｂ０の下面に向けて折り倒される。
【００３４】
この後、三角フラップＴＦはボトムシールフラップＢＦとともに後段の折込み工程にて、矩形底Ｂ０の下面に折り込まれて接着され、図１（ｂ）に示したような角底Ｂを有する角底袋Ｑが形成され、この際、ボトムシールフラップＢＦは矩形底Ｂ０と三角フラップＴＦとの間にて部分的に挟み込まれた状態となる。
ここで、上述の後段の折込み工程は、前述の特許文献１の包装機と同様にジッパシーラ２８の下方に配置した折込み機構にて実施されるか、又は、角底袋Ｐが包装機から排出された後、別の折込み装置にて実施される。折込み機構にて、三角フラップＴＦの折込みがなされる場合、折込まれた三角フラップＴＦは横シール時の予熱により矩形底Ｂ０に接着され、また、別の折込み装置にて三角フラップＴＦの折込みがなされる場合には、この折込みに先立ち、三角フラップＴＦにホットメルトが塗布され、三角フラップＴＦはホットメルトを介して矩形底Ｂ０に接着される。
【００３５】
本発明は、上述の一実施例に制約されるものではなく、種々の変形が可能である。
例えば、一実施例の場合、角筒状包材ＷＢはジッパＪを備えたものとなっているが、このジッパＪに代えて、又は、ジッパＪとともに角底袋Ｑ内の排気をなすためのバルブを備えるものであってよい。
また、縦シールフラップやボトムシールフラップの折込みには図示のものに限らず、種々の折込み手段を適用可能である。
【図面の簡単な説明】
【００３６】
【図１】角底袋の斜視図であり、（ａ）は本製袋充填包装機にて製造された角底袋、（ｂ）は、（ａ）の角底袋の三角フラップを折り込んで得られた角底袋をそれぞれ示す。
【図２】一実施例の縦形製袋充填包装機の概略構成を示した斜視図である。
【図３】角筒成形ガイド筒の詳細を示し、（ａ）は平面図、（ｂ）は正面図、（ｃ）は側面図である。
【図４】角筒成形ガイド筒の横断面図を示し、（ａ）は図３（ｂ）中、A-A線に沿う断面図、（ｂ）は図３（ｂ）中、B-B線に沿う断面図である。
【図５】図２の包装機の一部をより具体的に示した正面図である。
【図６】図４に示した一部の側面図である。
【図７】横シーラ及びジッパシーラの作動位置を示す図であり、（ａ）は開位置、（ｂ）は閉作動した直後の位置、（ｃ）は閉位置を示す。
【図８】傾斜フラップが如何に変形されるかを説明するための図であり、（ａ）は変形前の状態、（ｂ）は変形後の状態を示す。
【図９】三角フラップ形成部材の押さえ込みの有無による傾斜フラップの形成状態を示し、（ａ）は押さえ込み有りの本実施例の場合、（ｂ）は押さえ込み無しの参考例の場合である。
【符号の説明】
【００３７】
２              製袋チューブ
４              充填チューブ
６              ホッパ
１２            包材フィーダ（包材繰出し装置）
１８            角筒成形ガイド筒
２４            横シーラ
２８            ジッパシーラ
３４            三角フラップ形成部材
Ｂ              角底
Ｂ０             矩形底
ＢＦ            ボトムシールフラップ
ＥＦ            傾斜フラップ
ＦＳ            平坦面
Ｌ              長さ（間隔）
ＬＦ            縦シールフラップ
ＴＦ            三角フラップ
Ｐ              角底袋
Ｕ              上面
ＷＣ             筒状包材
ＷＢ             角筒状包材
【図１】
2010006412.tif 000003
【図２】
2010006412.tif 000004
【図３】
2010006412.tif 000005
【図４】
2010006412.tif 000006
【図５】
2010006412.tif 000007
【図６】
2010006412.tif 000008
【図７】
2010006412.tif 000009
【図８】
2010006412.tif 000010
【図９】
2010006412.tif 000011